(57)【要約】      （修正有）【課題】冬季にマスクをつけて眼鏡をかけても、曇らない眼鏡の提供。【解決手段】眼鏡の下部５は、枠無しとして、眼鏡レンズ２のみとし、先端のレンズは外に曲面をつけるようにするとともに、眼鏡パット（鼻あて）６を、マスクで覆われている鼻穴周辺と一部口周辺の吐く息を集めて、瞬時に逃がすような構造とし、さらに眼鏡枠と眼鏡レンズにすき間を取ることにより、レンズが瞬間的に曇った場合でも、レンズを上部に回転させることで曇りをとることを可能とした事を特徴とする。【選択図】図１
2017167495.tif 000002
【特許請求の範囲】
【請求項１】
（イ）冬季マスク掛けた際に眼鏡が曇るのを防ぐ為に、眼鏡枠と眼鏡レンズの形状そして枠と眼鏡レンズとの取り合い方法又眼鏡パット（鼻あて）の形状と眼鏡パット（鼻あて）の取り付け位置により冬季マスク掛けても曇らない眼鏡の仕様です。
（ロ）眼鏡の下部は、枠無しとして、眼鏡レンズのみで対応します。眼鏡の上部については、左右の眼鏡レンズの其々鼻から、遠い位置のレンズと中心部のレンズは、眼鏡枠とは取り合いせず、拘束しないで眼鏡レンズのみで対応し、左右の眼鏡レンズの其々鼻から、近い位置の範囲のレンズは、眼鏡枠ときっちり型にはめて、眼鏡レンズが眼鏡枠から落ちないようにされた冬季マスク掛けても曇らない眼鏡の仕様です。
（ハ）更に極寒の寒冷地で冬季マスク掛けても曇らない眼鏡の最強の仕様は、下部は、枠無しとして眼鏡レンズのみで対応します。眼鏡の上部については、左右の眼鏡レンズの其々鼻から、遠い位置のレンズは、眼鏡枠とは取り合いせず、中心部と近い位置のレンズは、眼鏡枠と取り合いしますが、眼鏡枠にはレンズ自体はめないが眼鏡枠とレンズを双方治具・金具等を設けて、しつかり固めて、ブラブラしない構造とする。上部眼鏡枠とレンズの間に隙間を作りまずこの個所から吐く息の暖まった空気を逃がし、これでもまだレンズが曇っていたら、次に吐く息を瞬時に逃がす方法として、直接手で眼鏡レンズ下部を持って上部に軽く回転させることで、極寒の寒冷地で冬季マスク掛けても曇らない眼鏡の最強の仕様です。
（ニ）請求項（ハ）において、この場合眼鏡枠と眼鏡レンズ双方に設ける治具・金具等につては、大きさ、形状、重さ、材質、色彩、設置個数、回転機構等については、限定しない。又上部眼鏡枠とレンズの隙間の大きさについても限定しない。又眼鏡レンズの回転角度、枠の下部をつかみ上部に回転させる仕様構造等については、限定しない。
（ホ）左右の眼鏡レンズ形状は、眼鏡パット（鼻あて）の処より、（マスクで覆われている口や鼻穴周辺より）吐く息が掛からない仕様とする為に、其々の眼鏡レンズにおいて、鼻から近い側の（時計で）１２時−６時方向には、レンズ自体に眼鏡パット（鼻あて）の器具に添って、斜め切仕様とすることで冬季マスク掛けても曇らない眼鏡の仕様です。
（ヘ）（時計で）１２時−６時方向のレンズ自体の曲りについて、この下端は６時方向側のレンズは外側に対して曲面とする。又（時計で）３時−９時方向のレンズ自体の曲りは、レンズ枠とは異なり鼻から近い位置から遠い位置の先迄大体一直線とするが、この先端は９時方向側のレンズは、外側に対して曲面とすることで、冬季マスク掛けても曇らない眼鏡の仕様です。
（ト）眼鏡パット（鼻あて）は、下部の左右の眼鏡レンズの其々鼻から、近い位置に突起物を設けて、これに眼鏡パット（鼻あて）を取り付け、脱着出来る仕様とすることも可能とされた冬季マスク掛けても曇らない眼鏡の仕様です。
（チ）眼鏡パット（鼻あて）の形状については、マスクで覆われている鼻穴周辺と一部口周辺の吐く息が、眼鏡レンズに掛から様にさせる仕様形状とし、鼻に近い眼鏡レンズの処には、吐く息が掛からないようにして、即レンズの下側に送り出しする様にされた冬季マスク掛けても曇らない眼鏡の仕様です。
（リ）眼鏡レンズに対して、眼鏡パット（鼻あて）位置を出来るだけ鼻穴から上部に設け、そして、この眼鏡パット（鼻あて）取り付け位置は、眼鏡レンズの下に設置することです。そして眼鏡レンズは眼鏡パット（鼻あて）から下には、レンズを伸ばさない、下げない、大きくしない事。更に眼鏡レンズの曲りを上下６時方向、左右９時方向レンズは外に向かって曲面を付けることで冬季マスク掛けても曇らない眼鏡の仕様です。
（ヌ）既存の眼鏡でも、眼鏡パット（鼻あて）を、下部の左右の眼鏡レンズの其々鼻から、近い位置に突起物等を設ける事により、これに眼鏡パット（鼻あて）を取り付け、脱着出来る仕様とすることにより、マスクで覆われている鼻穴周辺と一部口周辺の吐く息を瞬時に逃がす方法として、吐く息をこの眼鏡パット（鼻あて）でカバーして、眼鏡レンズの曇りを改善させることが可能とされた冬季マスク掛けても曇らない眼鏡の仕様です。
（ル）眼鏡枠の大きさ、形状、重さ、材質、色彩又眼鏡レンズとの取り合い仕様等については、限定しない。又眼鏡パット（鼻あて）と眼鏡レンズ取付け位置及び眼鏡レンズの其々の曲面については、限定しない。
（ヲ）眼鏡パット（鼻あて）の大きさ、形状、重さ、材質、色彩と眼鏡パット（鼻あて）の取り付け位置及び眼鏡パット（鼻あて）を取り付ける為に、突起物を設置し、これに眼鏡パット（鼻あて）を取り付け、脱着出来る仕様方法については、限定しない。尚この時下部左右の眼鏡レンズと突起物との取り合い仕様等については、限定しない。又この突起物の個数、大きさ、形状、重さ、材質、色彩等については、限定しない。
【発明の詳細な説明】
【技術分野】
【０００１】この発明は、特に冬季マスクを付けて、眼鏡を掛けた際に眼鏡が曇るのを防ぐ為に開発された眼鏡であり、極寒の寒冷地での使用する場合とこれ以外の冬季での使用する場合との使用場所により、眼鏡枠の形状とレンズ形状及び眼鏡レンズとの取り合い方法又眼鏡パット（鼻あて）の形状と眼鏡パット（鼻あて）の取り付け位置により、其々により眼鏡が曇るのを防ぐように仕様された眼鏡である。
【背景技術】
【０００２】従来の眼鏡曇り止め防止対策として、熱線入り眼鏡、ワイーパー式とかレンズに曇り止めクリーム等とか又マスクも色々工夫され数多くありましたが、眼鏡の曇る原因を眼鏡レンズと枠と眼鏡パット（鼻あて）自体で根本的に、解決できる眼鏡はありませんでした。
【発明が解決しようとする課題】
【０００３】これは次のような欠点があった。
例えば、眼鏡曇り理由について、マスクをかけている時に、気温差と水蒸気にあります。冬季は特に曇りがちになりこれは、息に含まれる水蒸気が、気温差のある眼鏡の表面で冷やされて、水に戻るからなのです。マスクで覆われている口や鼻穴周穴辺は普段より吐く息が暖まっています。この吐く息を瞬時に逃がす方法が既存・従来の眼鏡自体に出来ずに課題であった。
【課題を解決する為の手段】
【０００４】眼鏡の下部は、枠無しとして、眼鏡レンズのみで対応します。眼鏡の上部については、左右の眼鏡レンズの其々鼻から、遠い位置のレンズと中心部のレンズは、眼鏡枠とは取り合いせず、拘束しないで眼鏡レンズのみで対応し、左右の眼鏡レンズの其々鼻から、近い位置のレンズは、眼鏡枠ときっちり型にはめて、取り合いする仕様方法とします。
眼鏡レンズと眼鏡枠取り合いのもう一つの方法として、下部は、枠無しとして、眼鏡レンズのみで対応します。眼鏡の上部については、左右の眼鏡レンズの其々鼻から、遠い位置のレンズは、眼鏡枠とは取り合いせず、中心部と近い位置のレンズは、眼鏡枠と取り合いしますが、眼鏡枠にきっちり型に、はめないで、間接的にはまず、枠とレンズの間に隙間を作りこれにより、極寒の寒冷地でレンズが瞬間的に曇った場合に、口や鼻穴周辺の吐く息を瞬時に逃がす方法として、直接手でレンズを上部に回転させることで、曇らない眼鏡が可能になる眼鏡です。レンズの曇る原因は、口や鼻穴周辺の吐く息を瞬時に逃がす事とレンズに吐く息をあてないことです。その為に吐く息がこもる原因の下部にレンズ枠を設置しない事。そして、眼鏡レンズに対して、眼鏡パット（鼻あて）位置は、鼻穴から上部に設け、そして、取付け位置は眼鏡レンズの下に設置することと眼鏡レンズは眼鏡パット（鼻あて）から下には、レンズを伸ばさない、下げない、大きくしない事。更に眼鏡レンズの曲りを下部と鼻から、遠い位置のレンズは外に向かって曲面を付けることです。
【発明の効果】
【０００５】特に冬季にマスクして、この眼鏡を掛けても、眼鏡レンズが殆ど曇らないで済むようになった。其の為に、電車の中でも本等がスムーズに読めるし、レジとかの清算等でも、又人が大勢の場所でも、眼鏡レンズが殆ど曇らないで済む事で、今までは、眼鏡を外して、その度に眼鏡レンズを拭く手間等又余計な費用等が無くなり、大変便利になりました。殆どマスクの方の策は、必要無いですが、万全を期す為にマスクの方も対策してあれば、尚一層眼鏡レンズは曇らないで済むでしょう。
【発明を実地する為の最良の形態】
【０００６】以下。本発明を実地する為の最良の形態について説明する。
眼鏡の下部は、枠無しとして、眼鏡レンズのみで対応。眼鏡の上部については、左右の眼鏡レンズの其々鼻から、近い位置のレンズは、眼鏡枠と取り合いする。
枠無しとして、眼鏡レンズのみで対応します。眼鏡の上部については、左右の眼鏡レンズの其々鼻から、遠い位置と中心部のレンズは、眼鏡枠とは取り合いせず、と近い位置のレンズは、眼鏡枠と取り合いする使用する方法と極寒の寒冷地眼鏡で使用する場合は、きっちり型に、はめないで、眼鏡枠と眼鏡レンズ双方治具・金具等にてクランク状態として、隙間を作りこれにより、極寒の寒冷地での使用の場合レンズが瞬間的に曇った場合に、口や鼻周辺の吐く息を瞬時に逃がす方法として、レンズを上部に回転させることで、これが可能になる眼鏡です。
又其々の眼鏡レンズにおいて、鼻から近い側の（時計で）１２−６時方向には、レンズ自体に眼鏡パット（鼻あて）の器具に添って、斜め切仕様とする又（時計で）３−９時方向のレンズ自体の曲りは、レンズ枠とは異なり鼻から近い位置から遠い位置の先迄ほぼ一直線として先端９時は外に曲面をつけ下部６時方向レンズも先端は外に曲面をつけるようにする。眼鏡パット（鼻あて）の形状については、マスクで覆われている鼻穴周辺と一部口周辺の吐く息を集めて、瞬時に逃がす方法として、吐く息をこの眼鏡パット（鼻あて）にてカバーして、左右の眼鏡レンズに吐く息が掛から様に、分散させる仕様とする。
【図面の簡単な説明】
【０００７】
【図１】本発明の平面図と立面図、側面図である。
【図２】本発明のあいそめ図である。
【符号の説明】
【０００８】１    眼鏡
２    眼鏡レンズ
３    眼鏡枠
４    眼鏡枠の上部
５    眼鏡の下部（枠無し）
６    眼鏡パット（鼻あて）
７    眼鏡レンズの外側に曲面をつける
８    眼鏡下部枠無し眼鏡レンズ
９    眼鏡枠と眼鏡レンズ双方治具等にてのクランク
１０  寒冷地でレンズを上部に回転
１１  鼻から近い側の（時計で）１２−６時方向
１２  （時計で）３−９時方向のレンズ
１３  眼鏡枠の上部とレンズとの隙間
１４  眼鏡パット（鼻あて）取り付け突起物
【図１】
2017167495.tif 000003
【図２】
2017167495.tif 000004